(57)【要約】【課題】車両用センターコンソールボックスの見栄えの悪化を抑制しながら、ボックス本体と蓋部との間に設けられた連通路にコイル状コードを挿通させた場合に蓋部をより閉め易くする。【解決手段】センターコンソールボックス１０には、ボックス本体１２の内部と外部を連通する連通路１６が設けられる。連通路１６には、コイル形状のカールコードが挿通される。連通路１６の上壁面２０は蓋部１４の下側面により形成され、連通路１６の下壁面２２はボックス本体１２の上側面により形成される。連通路１６の上壁面２０は、連通路１６の下壁面２２に対して、連通路１６の方向に沿って傾斜している。これにより、上壁面２０と下壁面２２との間にカールコード３０が挟まれた場合に、カールコード３０が倒れ、その剛性がより小さくなり、蓋部１４がより閉まり易くなる。【選択図】図３
2019043433.tif 000002
【特許請求の範囲】
【請求項１】
上側面に開口部を有するボックス本体と、
前記開口部を塞ぐ開閉可能な蓋部と、
前記ボックス本体の内部と外部を連通する連通路であって、コイル状コードが挿通される連通路と、
を備え、
前記連通路の上壁面は、前記蓋部の下側面により形成され、
前記連通路の下壁面は、前記ボックス本体の上側面により形成され、
前記上壁面が前記下壁面に対して、前記連通路の方向に沿って傾斜している、
ことを特徴とする車両用センターコンソールボックス。
【発明の詳細な説明】
【技術分野】
【０００１】
本発明は、車両用センターコンソールボックスに関し、特に、コイル状コードを引き込み易い車両用センターコンソールボックスに関する。
【背景技術】
【０００２】
従来、車両の運転席と助手席との間に設けられるセンターコンソールボックスが知られている。センターコンソールボックスは、物を収納することができ、上側面に開口部を有するボックス本体と、ボックス本体の開口部を塞ぐ開閉可能な蓋部とを有しているのが一般的である。
【０００３】
最近では、車室内に種々の外部機器が持ち込まれることがあり、例えばその外部機器への電源供給や外部機器とのインターフェースのために、ボックス本体の内部に種々の電気部品（例えば充電口やＵＳＢ端子など）が設けられることが多くなっている。
【０００４】
これに鑑み、従来、ボックス本体内部の電気部品に接続されるコードを通すべく、ボックス本体の上側面と蓋部の下側面との間に形成されるコード挿通用の隙間（連通路）を有するセンターコンソールボックスが提案されている（例えば特許文献１）。
【先行技術文献】
【特許文献】
【０００５】
【特許文献１】特開２０１６−４９８２３公報
【発明の概要】
【発明が解決しようとする課題】
【０００６】
ボックス本体内部の電気部品に接続されるコードとして、コードがコイル形状となっているコイル状コードが用いられる場合がある。コイル状コードは、その径方向から力を加えた場合において高い剛性を示すことから、連通路の高さをコイル状コードの直径未満とした場合、連通路にコイル状コードを挿通させたときに、蓋部が閉まらない又は閉め難くなる場合があるという問題が生じる。そこで、連通路の高さを想定されるコイル状コードの直径以上とすることが考えられるが、そうすると、連通路の開口サイズが大きくなり、センターコンソールボックスの見栄えが悪化するという問題が生じる。
【０００７】
本発明の目的は、車両用センターコンソールボックスの見栄えの悪化を抑制しながら、ボックス本体と蓋部との間に設けられた連通路にコイル状コードを挿通させた場合に蓋部をより閉め易くすることにある。
【課題を解決するための手段】
【０００８】
本発明は、上側面に開口部を有するボックス本体と、前記開口部を塞ぐ開閉可能な蓋部と、前記ボックス本体の内部と外部を連通する連通路であって、コイル状コードが挿通される連通路と、を備え、前記連通路の上壁面は、前記蓋部の下側面により形成され、前記連通路の下壁面は、前記ボックス本体の上側面により形成され、前記上壁面が前記下壁面に対して、前記連通路の方向に沿って傾斜している、ことを特徴とする車両用センターコンソールボックスである。
【０００９】
コイル状コードを２つの平行な面で挟んだ場合は、コイル状コードに加わる力の方向が一方向（例えば垂直方向）となり、それがコイル状コードの径方向に一致した場合、コイル状コードは比較的大きい剛性を示す。しかし、コイル状コードが２つの非平行な面で挟まれた場合には、コイル状コードには複数方向（例えば垂直方向と水平方向）の力が働くことから、コイル状コードの径方向以外の方向からの力も加わることになり、コイル状コードに倒れが生じ、その剛性は比較的小さくなる。本発明の構成においては、連通路の上壁面が下壁面に対して傾斜しているから、上壁面と下壁面との間にコイル状コードを挟んだ場合には、コイル状コードが倒れ、その剛性がより小さくなる。したがって、連通路の高さがコイル状コードの直径よりも小さかったとしても、連通路にコイル状コードを挿通させた状態において蓋部がより閉まり易くなる。これにより、連通路の高さを最小限に抑えることができるために、センターコンソールボックスの見栄えの悪化が抑制される。
【発明の効果】
【００１０】
本発明によれば、車両用センターコンソールボックスの見栄えの悪化を抑制しながら、ボックス本体と蓋部との間に設けられた連通路にコイル状コードを挿通させた場合に蓋部をより閉め易くすることができる。
【図面の簡単な説明】
【００１１】
【図１】本実施形態に係るセンターコンソールボックスの外観斜視図である。
【図２】本実施形態に係るセンターコンソールボックスのＡ−Ａ方向から見た断面図である。
【図３】本実施形態に係るセンターコンソールボックスのＢ−Ｂ方向から見た断面図である。
【図４】平行な２つの面と非平行な２つの面によりカールコードが挟まれた場合におけるカールコードの剛性の違いを示す図である。
【図５】連通路にカールコードが挿通された状態を示すＢ−Ｂ方向から見た断面図である。
【発明を実施するための形態】
【００１２】
以下、本発明の実施形態について説明する。
【００１３】
図１には、本実施形態に係るセンターコンソールボックス１０の外観斜視図が示されている。センターコンソールボックス１０は、自動車の運転席と助手席の間に設けられるものである。なお、本明細書の図面においては、車体の幅方向をＸ軸とし、車体の前後方向をＹ軸（前方向がＹ軸負の方向）とし、高さ方向をＺ軸としている。
【００１４】
センターコンソールボックス１０は、ボックス本体１２と蓋部１４とを含んで構成されている。
【００１５】
ボックス本体１２は、上側面に開口部を有しており、その内部が中空となっている。これにより、ボックス本体１２の内部に物などを収納することができるようになっている。また、図１には不図示であるが、ボックス本体１２内には、車室内に持ち込まれた外部機器から伸びるコードを接続するための電気部品が設けられる。本実施形態では、外部機器を充電するための充電口が設けられている。
【００１６】
蓋部１４は、ボックス本体１２の開口部を塞ぐものである。蓋部１４は、水平軸Ｓを中心にＹＺ平面において回動可能なようにボックス本体１２に取り付けられている。これにより、蓋部１４は開閉可能となっている。図１には閉状態の蓋部１４が示されている。
【００１７】
センターコンソールボックス１０は、ボックス本体１２の内部と外部を連通する連通路１６を有している。連通路１６には、ボックス本体１２内の充電口に接続されたコードが挿通される。連通路１６により、蓋部１４を閉めた状態においても、当該コードをボックス本体１２の内部から外部へ引き出すことが可能となっている。特に、本実施形態に係る連通路１６は、コイル形コードとしてのカールコード（スプリングコード）が挿通されることが想定されたものとなっている。なお、図１には左右２つの連通路１６が示されているが、以後１つの連通路１６に着目して説明する。
【００１８】
図２は、図１のＡ−Ａ方向から見た断面図（ＸＺ面断面図）である。図２に示されるように、本実施形態においては、連通路１６はＸＺ断面において略矩形となっている。連通路１６の上壁面２０は蓋部１４の下側面により形成され、連通路１６の下壁面２２はボックス本体１２の上側面により形成されている。より詳しくは、本実施形態においては、ボックス本体１２の前側壁の上端に、ＸＺ断面コの字形状の溝が設けられ、当該溝の底面が連通路１６の下壁面２２を形成している。
【００１９】
なお、ＸＺ断面コの字形状の溝が蓋部１４に設けられることによって連通路１６が形成されるようにしてもよい。その場合であっても、連通路１６の上壁面２０は蓋部１４の下側面（この場合は当該溝の上底面）により形成され、連通路の１６の下壁面２２はボックス本体１２の上側面により形成される。
【００２０】
図３は、図１のＢ−Ｂ方向から見た断面図である。図３に示される通り、連通路１６の上壁面２０は、連通路１６の下壁面２２に対して、連通路１６の方向に沿って傾斜している。すなわち、上壁面２０と下壁面２２は非平行となっている。図３に示されるように、本実施形態においては、下壁面２２が水平面であり、上壁面２０が非水平面となっている。具体的には、車体の前方に行く程連通路１６の高さが大きくなるように、上壁面２０の向きが設定されている。なお、本実施形態では、下壁面２２が水平面であり上壁面２０が傾斜面（非水平面）となっているが、上壁面２０を水平面とし下壁面２２を傾斜面とするようにしてもよい。あるいは、上壁面２０と下壁面２２とが非平行である限りにおいて、上壁面２０及び下壁面２２が共に傾斜面であってもよい。
【００２１】
また、図３には、ボックス本体１２の内部に設けられた充電口２４が示されている。
【００２２】
図４には、カールコードを平行な２つの面で挟んだ場合と、カールコードを非平行な２つの面で挟んだ場合におけるカールコードの剛性の違いが示されている。カールコードは、その径方向に加えられた力に対しては比較的大きな剛性を示す。平行な２つの面で挟んだ場合（図４（ａ）参照）、カールコードに対しては垂直方向の力のみが加わることになり、当該垂直方向の力がカールコードの径方向と一致する場合、カールコードは比較的大きな剛性を示すことになる。一方、非平行な２つの面で挟んだ場合（図４（ｂ）参照）、カールコードには、垂直方向の力のみならず水平方向の力が加わる。この水平方向の力によりカールコードは水平方向に倒れるように変形し、それにより垂直方向の力が径方向とは一致しなくなる（すなわちカールコードの剛性の高い方向以外の方向から力を加えることとなる）ため、その剛性は比較的小さくなる。
【００２３】
図５は、充電口２４に接続されたカールコード３０が連通路１６に挿通された状態のＢ−Ｂ方向から見た断面図が示されている。本実施形態によれば、連通路１６の上壁面２０が下壁面２２に対して傾斜しているために、上壁面２０と下壁面２２との間にカールコード３０を挟んだ場合に、カールコード３０が倒れ、その剛性が比較的小さくなる。したがって、連通路１６の高さがカールコード３０の直径よりも小さかったとしても、連通路１６にカールコード３０を挿通させた状態において、蓋部１４がより閉まり易くなっている。
【００２４】
このように、蓋部１４がより閉まり易くなっていることから、連通路１６の高さを最小限に設定することができる。具体的には、連通路１６に挿通されることが想定されるカールコード３０の直径よりも、連通路１６の高さを小さく設定することが可能になる。これにより、センターコンソールボックス１０の見栄えの悪化が抑制される。
【００２５】
以上、本発明に係る実施形態を説明したが、本発明は上記実施形態に限られるものではなく、本発明の趣旨を逸脱しない限りにおいて種々の変更が可能である。
【符号の説明】
【００２６】
１０  センターコンソールボックス、１２  ボックス本体、１４  蓋部、１６  連通路、２０  上壁面、２２  下壁面、２４  充電口、３０  カールコード。
【図１】
2019043433.tif 000003
【図２】
2019043433.tif 000004
【図３】
2019043433.tif 000005
【図４】
2019043433.tif 000006
【図５】
2019043433.tif 000007